(57)【特許請求の範囲】
【請求項１】
腰掛け式の便器の近傍における前記便器の側方でこの便器よりも若干前方まで延びる側壁に、この便器よりも上方でかつ便器よりも前に位置する手摺部分を有する手摺を設け、前記便器の側方から便器の前方へ水平に引出し自在な手洗い器、およびこの手洗い器を水平に引出し自在に支持する支持台を設け、この支持台は、前記手摺の設けられた側壁の前端の前側に設けられ、かつ上部で前記手洗い器を収納しその収納箇所よりも下方の部分が収納スペースとして利用可能なものとし、前記手洗い器は、下面高さが前記便器に腰を掛けた人の膝が下方に入り込み可能な高さで、かつ上面高さが前記手摺部分よりも下方に位置するものとした高齢者等用手洗所設備。
【請求項２】
前記便器の自動水栓等の操作用スイッチ盤および紙巻器の両方またはいずれか一方を、前記手摺の前部の付近における前記手摺との非干渉位置に設置した請求項１記載の高齢者等用手洗所設備。
【請求項３】
前記便器の前方における室内の天井部に、側方へ延びる人体搬送用の天井走行リフトのレールを設けた請求項１または請求項２記載の高齢者等用手洗所設備。
【請求項４】
寝室、手洗い所、洗面脱衣室、および浴室を一列に並べて配置し、これら寝室、手洗い所、洗面脱衣室、および浴室にわたって前記天井走行リフトのレールを設けた請求項３記載の高齢者等用手洗所設備。
【発明の詳細な説明】
【０００１】
【産業上の利用分野】
この発明は、高齢者や身障者等の車椅子等による使用の便利を図った高齢者等用手洗所設備に関する。
【０００２】
【従来の技術】
従来、手洗所設備として、図１１に示すような固定式手洗い器や図１２に示すような可倒式手洗い器がある。
固定式手洗い器は、例えば手洗い器２８付きのカウンタ２９、あるいは手洗い器単体を便器２７の側方に設置したものである。
可倒式手洗い器は、通常、壁内やキャビネットに収納されている手洗い器２８を、使用時に便器２７の手前位置に倒して使用するようにしたものである。
【０００３】
【発明が解決しようとする課題】
しかし、固定式手洗い器では、利用者が便器２７に対して車椅子や自立歩行等で前方から近づくときの必要空間を確保するために、カウンタ２９や手洗い器単体の便器２７からの距離が遠くなり、殆どの場合、便器２７から立ち上がらないと手洗い器２８に手が届かない。このため、高齢者や身障者等にとって非常に使い勝手が悪いという問題点がある。
一方、前記の可倒式手洗い器では、便器２７の前方に手洗い器２８を収納する壁面やキャビネットが存在するが、そのため高齢者等の介護用天井走行リフトや車椅子等を使用する場合に、便器２７に前方から近づく動線上の妨げとなる。手洗い器２８自体の使用を考えると、手洗い器２８は正面に設置した方が機能的に優れているが、その場合には便器２７に近づく場合に動線上の妨げとなる。
可倒式の手洗い器２８を側方に設置できれば、便器２７に近づく動作と手洗い器２８の使い勝手との両方に便利となるが、高齢者用等の便所では便器２７の側方に手摺が設けられており、その適正な設置箇所が、可倒式の手洗い器２８を収納する箇所に干渉する。そのため便器２７の側方に可倒式の手洗い器２８を設置することができない。
【０００４】
この発明の目的は、高齢者や身障者等が手洗い器に妨げられることなく容易に便器に近づくことができ、かつ便器に座ったままで手洗い器に手が届く高齢者等用手洗所設備を提供することである。
【０００５】
【課題を解決するための手段】
この発明の高齢者等用手洗所設備は、腰掛け式の便器の近傍における前記便器の側方でこの便器よりも若干前方まで延びる側壁に、この便器よりも上方でかつ便器よりも前に位置する手摺部分を有する手摺を設け、前記便器の側方から便器の前方へ水平に引出し自在な手洗い器、およびこの手洗い器を水平に引出し自在に支持する支持台を設けたものである。この支持台は前記手摺の設けられた袖壁状の側壁の前端から突出して設けられ、この支持台は、前記手摺の設けられた側壁の前端の前側に設けられ、かつ上部で前記手洗い器を収納しその収納箇所よりも下方の部分が収納スペースとして利用可能なものとする。前記手洗い器は、下面高さが前記便器に腰を掛けた人の膝が下方に入り込み可能な高さで、かつ上面高さが前記手摺部分よりも下方に位置させてある。
前記手洗所設備において、前記便器の自動水栓等の操作用スイッチ盤および紙巻器の両方またはいずれか一方を、前記手摺の前部の付近における前記手摺との非干渉位置に設置してもよい。
また、前記便器の前方における室内の天井部には、側方へ延びる人体搬送用の天井走行リフトのレールを設けてもよい。
さらに、寝室、手洗い所、洗面脱衣室、および浴室を一列に並べて配置し、これら寝室、手洗い所、洗面脱衣室、および浴室にわたって前記天井走行リフトのレールを設けてもよい。
【０００６】
【作用】
この構成の手洗所設備によると、便器の前方へ手洗い器を引き出すことにより、便器に座ったままで、立ち上がることなく手洗い器が使用できる。手洗い器は側方から引き出すようにしてあり、不使用時は側方に収容できるため、便器に対して前方や斜め前方から、車椅子や自立歩行、天井走行リフト等で近づく動作の妨げとならない。手洗い器が収納された状態では、介助する場合の空間的ゆとりが有り、介助も行い易い。介護機器には大型のものが多いが、そのような場合でも、便器に対する近づき動作が容易である。
また、手洗い器は引出し式としたため、可倒式とした場合と異なり、上下に延びる収納空間を必要としない。そのため手摺の配置と干渉しない。すなわち、手摺には種々の形状のものがあるが、便器からの立ち上がり動作や座り動作を考えると、便器よりも上方でかつ便器よりも前に位置する手摺部分が少なくとも必要となる。そのためこの位置に手摺部分を設けているが、この位置に手摺部分があっても、手洗い器は引出し式であるため、この手摺部分の下方に手洗い器が配置できる。そのため、適正配置の手摺と干渉することなく、引出し式の手洗い器を収納することができる。
手洗い器は、便器に腰を掛けた人の膝が下方に入り込み可能な高さとしているため、手洗い器を前後方向につき便器に近い位置とできて、使い勝手が良い。また、手洗い器を床面上からスライドさせるものと異なり、車椅子の使用時に便器の際まで車椅子を近づけることができ、車椅子使用者の使用に非常に便利である。
便器の前方における室内の天井部に、側方へ延びる人体搬送用の天井走行リフトのレールを設けた場合には、リフトを利用して高齢者等を住宅内の各場所に移動させることができる。この場合に、手洗い器は引出し式のものであるため、上方へ起こして収納するものと異なり、上方の空間が開いているおり、リフト使用時の動線の妨げとならない。
さらに、寝室、手洗い所、洗面脱衣室、および浴室を一列に並べて配置し、これら寝室、手洗い所、洗面脱衣室、および浴室にわたって前記天井走行リフトのレールを設けた場合には、寝室から手洗い所、洗面脱衣室、および浴室にわたっ高齢者等をリフトに載せて移動させることができる。この場合に、手洗い器が障害となることなく、リフトの経路を直線に設計することが可能で、リフトの構成の簡易化、介護者の負担の軽減が図れ、またリフトから便器への近づき動作も手洗い器で妨げられることがなく、しかも便器に座ったままでの手洗い器の使用が可能となる。
【０００７】
【実施例】
この発明の第１の実施例を図１ないし図５に基づいて説明する。手洗い所２と洗面脱衣所３とが左右に隣接して設けられており、手洗い所２の後部に腰掛け式の自動水栓式の便器７が設置されている。手洗い所２と洗面脱衣所３とは、便器７よりも若干前方まで延びる側壁５で仕切られている。側壁５の手洗い所２側の壁面には便器７の利用者の支えとなる手摺６が設けられ、側壁５の前端の前側に、引出し式の手洗い器８の支持台９（図２）が設置してある。手洗い器８は、手洗いボールと、蛇口と、ボックス状のカバーとからなり、支持台９により、この支持台９の真上に収まる収納位置から、便器７の前方位置となる引出し位置まで引出し自在に支持されている。支持台９による手洗い器８の支持は、手洗い器８の引出し方向に沿う両側縁の上縁付近を、支持台９に設けられた一対ガイドレール（図示せず）で支持するものとしてある。また、支持台９はキャビネットとして形成されて、手洗い器８の収容状態では支持台９のカバー内に手洗い器８が収まる。支持台９の手洗い器８の収納箇所よりも下方の部分は、収納スペースとして利用可能としてある。
【０００８】
手摺６は、一端を便器７の後方の壁面に、他端を側壁５に各々固定した概形がＬ字状のパイプからなり、その折曲部付近の手摺部分６ａが、便器７の近傍で、便器７よりも上方に、かつ便器７よりも前方に位置するように配置される。
図２に示すように、手洗い器８の底面高さＨ１  （＝６００ｍｍ  ）は、便器７に腰掛けた人Ｍの膝が手洗い器８の下に入り込める高さに設定されている。特に、この実施例では、手洗い器８の底面の便器７寄りの半部を便器７側に向けて上り勾配とすることにより、膝が手洗い器８の下に十分余裕をもって入り込めるようにしてある。また、手洗い器８の上面高さＨ２  （＝７５０ｍｍ  ）は、前記手摺部分６ａよりも下方に位置するように設定されている。これにより、便器７に腰掛けた人Ｍの膝や手摺部分６ａに妨げられることなく、手洗い器８を支持台９から便器７の前方に引き出すことができる。
【０００９】
側壁５の、前記手摺部分６ａの近傍位置には、便器７の自動水栓等の操作用スイッチ盤１０と、紙巻器１１とが設置されている。この例の便器７は、上蓋および便座の開閉、人体洗浄用の噴射式水栓の開閉をスイッチ操作で自動的に行うと共に、排水をセンサで自動的に行うようにした一般の自動化便器であり、便器７の制御装置内蔵のハウジング１２に、そのスイッチ盤１２ａが設けられている。側壁５に設けられた前記スイッチ盤１０は、利用者の操作が行い易い箇所でスイッチ操作ができるように、ハウジング１２のスイッチ盤１２ａと並設されて、いずれのスイッチ盤１０，１２ａでも操作が可能とされるものである。
なお、この例では便器７の先端から支持台９の中心相当位置までの奥行き寸法Ｌ１  を２５０ｍｍ  、便器７の先端から手摺部分６ａの前端相当位置までの奥行き寸法Ｌ２  を２００ｍｍ  、便器７の高さＨ３  を４３０ｍｍ  、便器７の本体の幅寸法Ｗ１  を４００ｍｍ  、便器７の本体の右端から支持台９までの距離Ｗ２  を２００ｍｍ  としてある。
【００１０】
手洗い器８の側部、すなわち手洗い器８の引出し方向における正面部分には、支持台９からの引出し操作のための引出し用握手１３と、手洗い器８に内蔵の引出しロック機構１４（図５）のロック解除ボタン１５とが設けられている。この実施例の設置プランでは、洗面脱衣室３側から手洗い器８に手が当たることがあるが、このような場合に、前記ロック機構１４が設けられていることにより、手洗い器８が不意に引き出されることが防止される。なお、手洗い器８を引出し動作させる機構としては、スライドレールを用いた前記の手動式の物の他、電動式、または油圧式等の駆動装置で引出しおよび収納動作させるものとしても良い。その場合、ロック解除ボタン１５は、その駆動装置の引出し動作を行わせるスイッチとなる。なお、図３に示すように、引出し用握手１３は、その一部１３ａにおいて手洗い器８の側面との間隔が広く設定され、この握手部分１３ａを手拭きタオルの吊り部として利用できるようにしてある。引出し用握手１３のロック解除ボタン１５の近傍部分は、把手１３を把持したままでボタン操作できるように、手洗い器８に近づけてある。
【００１１】
手洗い所２の左隣は寝室１とされ、便器７の寝室１寄りの側方には、高齢者等の利用者が便器７に楽に乗り移るためのベンチ１６が設けられている。洗面脱衣室３の右隣は浴室４としてあり、これにより寝室１、手洗い所２、洗面脱衣室３、および浴室４がこれらの順序で一列に並んで配置されている。洗面脱衣室３内には、洗面ボール２０を有する洗面カウンタ２１が、手洗い所２の便器７と同じ向きに設置され、収納家具２２が前記側壁５に沿って設けられている。
手洗い所２の便器７の前方の天井部から前記各室の天井部にわたる範囲には、図４に示すような人体搬送用の天井走行リフト１７のレール１８が設けられている。このレール１８は、手洗い所２において、分岐レール１８ａが便器７上まで延ばされている。これにより、身障者等の利用者は、天井走行リフト１７に吊られて、寝室１から、手洗い所２の便器７上、洗面脱衣室３、および浴室４まで移動できるので、介添え者の負担を大幅に軽減できる。
ここでは、床から天井走行リフト１７の下端までの高さＨ４  は１２００ｍｍとしてあるので、手洗い所２から洗面脱衣室３に移動する場合にも、手洗い器８（高さＨ２  ＝７５０ｍｍ  ）がその走行の妨げになることはない。また、手洗い所２の非使用時には、手洗い器８は支持台９上に退避した収納位置にあるので、天井走行リフト１７に吊られた高齢者等が分岐レール１８ａの経路で便器７上に近づき、便器７上に腰掛ける一連の動作において、手洗い器８が妨げになることもない。
また、利用者は便器７に腰掛けた状態で、手洗い器８を支持台９上から便器７の前方まで引き出すことができるので、便器７から立ち上がることなく、座ったままで手洗い器８に手を差し出して手洗いができる。そのため高齢者等にとって非常に使い勝手がよい。
なお、前記実施例において、手摺６は、図２のようにＬ字状に曲げたものを用いたが、手摺６は、この他に図６のように便器７の後方から前方に向けＵ字状に曲げたものであっても良い。また、手摺６は床面から立設したものであっても良い。操作用スイッチ盤１０等も床面から立設したフレームに取付けても良い。その場合、側壁５は設けられない場合がある。
また、前記実施例では、天井走行リフト１７で高齢者等の利用者を吊って移動させる場合につき説明したが、車椅子に載って移動する場合にも使用に便利である。すなわち、手洗い器８は、収納状態では壁５の壁面や手摺６程度にしか突出していないので、介助車椅子や自走式車椅子で便器７に前方から近づく場合に、手洗い器８が障害となることなく、便器７の際まで近づくことができる。車椅子の寸法によっては、この近づき状態で車椅子が障害となることなく、その上方に手洗い器８を引き出すことも可能である。勿論、自立歩行で便器７に近づく場合にも、手洗い器８が収納されていると近づき易い。
【００１２】
図７は第２の実施例を示す。この実施例では、手洗い所２に設けられた腰掛け式の便器７の前方へ引出し自在となる手洗い器８を、側壁５′に設けたものである。手摺６や手洗い器８の配置は先の実施例の場合と同様である。手洗い所２は、洗面脱衣所等とは分離された独立した部屋として構成され、側壁５′は手洗い所２の側方の全面に設けられている。
この実施例の場合も、手洗い所２の他方の側壁の出入口から、あるいは前方の出入口から入って便器７に近づくときに、側壁５′内に手洗い器８を収納しておけるので、手洗い器８が妨げにならない。便器７から立ち上がることなく、手洗いを行えることも、先の実施例と同様である。
【００１３】
図８はこの発明の第３の実施例を示す。この実施例は、図７の実施例において、便器７の左側方に身障者が便器７に乗り移るためのベンチ１６を設けたものである。
【００１４】
図９はこの発明の第４の実施例を示す。この実施例は、側壁５′が外壁であって、この側壁５′に出窓１７を有する手洗い所において、その出窓１９の下部に手洗い器８を、便器７の前方へ引出し自在に設けたものである。手摺６や手洗い器８の配置は図７の実施例の場合と同様である。
【００１５】
図１０はこの発明の第５の実施例を示す。この実施例は、図１に示す第１の実施例における浴室４が洗面脱衣室４の前方に配置されている場合を示す。これに伴って走行リフトのレール１８の経路も屈曲経路とされている。また、洗面カウンタ２１および洗面ボール２０は、手洗い所２との仕切りとなる側壁５に沿って配置されている。その他の構成は第１の実施例とほぼ同様である。
【００１６】
【発明の効果】
この発明の高齢者等用手洗所設備は、腰掛け式の便器の近傍における前記便器の側方に、この便器よりも上方でかつ便器よりも前に位置する手摺部分を有する手摺を設け、前記便器の側方から便器の前方へ引出し自在な手洗い器、およびこの手洗い器を引出し自在に支持する支持台を設け、前記手洗い器は、下面高さが前記便器に腰を掛けた人の膝が下方に入り込み可能な高さで、かつ上面高さが前記手摺部分よりも下方に位置するものとしたため、高齢者や身障者等が手洗い器に妨げられることなく容易に便器に近づくことができ、かつ便器に座ったままで手洗い器に手が届き、使用に便利である。
請求項２の発明の場合は、前記便器の自動水栓等の操作用スイッチ盤および紙巻器の両方またはいずれか一方を、前記手摺の前部の付近に設置したので、スイッチ盤や紙巻器の操作を、便器に座った利用者が使用し易い箇所で操作でき、この場合にもこれらスイッチ盤や紙巻器、手洗い器、および手摺を相互に納まり良く配置できる。
請求項３の発明の場合は、便器の前方における室内の天井部に、側方へ延びる人体搬送用の天井走行リフトのレールを設けたので、介護が行い易く、またこのように天井走行リフトを設けても、引出し状態や収納状態の手洗い器の上方を走行させることができて、手洗い器が障害となることが回避できる。
請求項４の発明の場合は、寝室、手洗い所、洗面脱衣室、および浴室を一列に並べて配置し、これら寝室、手洗い所、洗面脱衣室、および浴室にわたって前記天井走行リフトのレールを設けたので、寝室から手洗い所、洗面脱衣室、および浴室にわたって高齢者等をリフトに載せて移動させることができ、介護者の負担を大幅に低減できる。また、この場合も、手洗い器を収納しておくことで、高齢者等が便器に近づく動作の妨げとなることが防止され、また収納状態の手洗い器が障害とならずに前記レールに沿って高齢者のリフトによる移送が行える。
【図面の簡単な説明】
【図１】この発明の第１の実施例にかかる高齢者等用手洗所設備の平面図である。
【図２】同設備の側面図である。
【図３】同設備における手洗い器の要部斜視図である。
【図４】同設備における天井走行リフトの正面図である。
【図５】同設備の正面図である。
【図６】同設備の変形例を示す側面図である。
【図７】この発明の第２の実施例にかかる高齢者等用手洗所設備の平面図である。
【図８】この発明の第３の実施例にかかる高齢者等用手洗所設備の平面図である。
【図９】（Ａ）はこの発明の第４の実施例にかかる高齢者等用手洗所設備の平面図、（Ｂ）は同設備の要部縦断面図である。
【図１０】この発明の第５の実施例にかかる高齢者等用手洗所設備の平面図である。
【図１１】（Ａ），（Ｂ）は従来例の平面図および側面図である。
【図１２】（Ａ），（Ｂ）は別の従来例の平面図および側面図である。
【符号の説明】
２…手洗い所、６…手摺、６ａ…手摺部分、７…便器、８…手洗い器、９…支持台、１０…操作用スイッチ盤、１１…紙巻器、１７…天井走行リフト
【図１】
0003607333.tif 000002
【図２】
0003607333.tif 000003
【図３】
0003607333.tif 000004
【図４】
0003607333.tif 000005
【図５】
0003607333.tif 000006
【図６】
0003607333.tif 000007
【図７】
0003607333.tif 000008
【図８】
0003607333.tif 000009
【図９】
0003607333.tif 000010
【図１０】
0003607333.tif 000011
【図１１】
0003607333.tif 000012
【図１２】
0003607333.tif 000013